(57)【要約】【課題】本発明は、使用者の使い勝手を向上することができる。【解決手段】本発明は、ブラシ本体５が塗布液容器３から引き抜かれる際、ブラシ受皿１１をブラシ本体５の先端であるブラシ先頂部５Ａに追従させて塗布液容器３の上部に移動させるばね１０とを設けるようにする。【選択図】図１
2007307310.tif 000002
【特許請求の範囲】
【請求項１】
塗布対象に対して塗布液を塗布するブラシと、先端に上記ブラシが取り付けられたシャフトとからなる液塗布具本体と、
上記塗布液を貯蔵すると共に、上記液塗布具本体が挿入される塗布液容器と、
上記塗布液容器の上部に取り付けられ、上記液塗布具本体が上記塗布液容器から取り出される際、上記液塗布具本体に付着した上記塗布液をしごき落とすしごき部材と、
上記塗布液容器に挿入された上記ブラシの先端に当接するブラシ受皿と、
上記ブラシが上記塗布液容器から引き抜かれる際、上記ブラシ受皿を上記ブラシの先端に追従させて上記塗布液容器の上部に移動させるばねと
を具えることを特徴とする液塗布具。
【請求項２】
塗布対象に対して塗布液を塗布するブラシと、先端に上記ブラシが取り付けられたシャフトとからなる液塗布具本体と、
上記塗布液を貯蔵すると共に、上記液塗布具本体が挿入される塗布液容器と、
第１の孔径でなる大径しごき孔を有し、上記液塗布具本体が上記塗布液容器から引き抜かれる際、上記大径しごき孔に挿入された上記液塗布具本体に付着する上記塗布液をしごき落とす第１のしごき部材と、
上記第１の孔径よりも小さい第２の孔径でなる小径しごき孔を有し、上記液塗布具本体が上記塗布液容器から引き抜かれる際、上記小径しごき孔に挿入された上記ブラシの先端部に付着する過剰な上記塗布液をしごき落とす第２のしごき部材と、
上記小径しごき孔に上記ブラシの先端部のみが挿入されるように、上記ブラシの挿入を制限するブラシ挿入制限部と
を具えることを特徴とする液塗布具。
【発明の詳細な説明】
【技術分野】
【０００１】
本発明は、液塗布具に関し、特にマスカラブラシや毛染めブラシ、アイライナーなどのような化粧用塗布液を塗布する場合に適用して好適なものである。
【背景技術】
【０００２】
従来、例えば図１４に示すように、マスカラブラシとしての液塗布具Ｒ１は、塗布液容器Ｒ２の一部として一体的に形成された取出口Ｒ３から、キャップＲ４に固着されたシャフトＲ５の先端に設けられたブラシ本体Ｒ６を出し入れすることにより、ブラシ本体Ｒ６をマスカラに浸すと共に外部に取り出すようになされている。
【０００３】
取出口Ｒ３の内側には、柔軟性を持ったゴム材でなる円筒状のしごき部材Ｒ７が設けられ、ブラシ本体Ｒ６を取出口Ｒ３から引き抜くときに、ブラシ本体Ｒ６の周囲に付着している過剰な塗布液を、小さい内径を有するしごき部材Ｒ７によってしごき落とすようになされている（例えば特許文献１参照）。
【特許文献１】特開平５−２２８０１８号公報
【発明の開示】
【発明が解決しようとする課題】
【０００４】
かかる構成のマスカラブラシでは、ブラシ本体Ｒ６を塗布液容器Ｒ２から引き抜いたとき、芯材に植毛されたブラシ毛材Ｒ６Ａがしごき部材Ｒ７によって引き抜き方向とは逆方向に押し付けられることにより、その方向に一斉に倒れたブラシ毛材Ｒ６Ａ同士が密接し、これによりブラシ毛材Ｒ６Ａの周囲の塗布液が押し出され、ブラシ本体Ｒ６から塗布液がしごき落とされる。このしごき落とされた塗布液は、下方へ伝え落ち、ブラシ本体Ｒ６の先端から塗布液容器Ｒ２内へ落ちる。
【０００５】
このとき、図１５に示すように、ブラシ本体Ｒ６の先端に塗布液が団子状になって溜り、ぼた落ちの危険性を生じさせるため、この液塗布具Ｒ１の使用者は、団子状になった塗布液である団子状液溜りをティッシュなどによって拭き取らねばならないという問題があった。
【０００６】
本発明は以上の点を考慮してなされたもので、ブラシ本体先端に団子状液溜りを形成させない液塗布具を提案しようとするものである。
【課題を解決するための手段】
【０００７】
かかる課題を解決するため本発明においては、塗布対象であるまつ毛に対してマスカラである塗布液１７を塗布するブラシとしてのブラシ本体５と、先端にブラシ本体５が取り付けられたシャフト４とからなる液塗布具本体２と、塗布液１７を貯蔵すると共に、液塗布具本体２が挿入される塗布液容器３と、塗布液容器３の上部に取り付けられ、液塗布具本体２が塗布液容器３から取り出される際、液塗布具本体２に付着した塗布液１７をしごき落とすしごき部材としてのしごき部８Ｂと、塗布液容器３に挿入されたブラシ本体５の先端に当接するブラシ受皿１１と、ブラシ本体５が塗布液容器３から引き抜かれる際、ブラシ受皿１１をブラシ本体５の先端であるブラシ先頂部５Ａに追従させて塗布液容器３の上部に移動させるばね１０とを設けるようにした。
【０００８】
さらに本発明においては、塗布対象であるまつ毛に対して塗布液１７を塗布するブラシ本体３３と、先端にブラシ本体３３が取り付けられたシャフト４とからなる液塗布具本体２と、塗布液１７を貯蔵すると共に、液塗布具本体２が挿入される塗布液容器３と、第１孔径Ｄｐ１でなる大径しごき孔としてのしごき孔８Ｃを有し、液塗布具本体２が塗布液容器３から引き抜かれる際、しごき孔８Ｃに挿入された液塗布具本体２に付着する塗布液１７をしごき落とす第１のしごき部材としてのしごき部８Ｂと、第１孔径Ｄｐ１よりも小さい第２孔径Ｄｐ２でなる小径しごき孔３２Ｃを有し、液塗布具本体２が塗布液容器３から引き抜かれる際、小径しごき孔３２Ｃに挿入されたブラシ本体３３の先端部である少量塗布ブラシ部３３Ｄに付着する過剰な塗布液１７をしごき落とす第２のしごき部材としてのブラシ受皿３２と、小径しごき孔８Ｃに少量塗布ブラシ部３３Ｄのみが挿入されるように、ブラシ本体３３の挿入を制限するブラシ挿入制限部３３Ｅとを設けるようにする。
【発明の効果】
【０００９】
本発明によれば、ブラシを容器本体から取り出す際、ブラシの先端をブラシ受皿に当接させることにより、当該ブラシ先端へ伝え落ちてくる塗布液を、当該ブラシ受皿に溜まった塗布液や当該ブラシ受皿に伝わせて確実に落とすことができ、ブラシ本体先端に団子状液溜りを形成させない液塗布具を実現できる。
【００１０】
また本発明によれば、ブラシを塗布液容器から取り出す際、ブラシの先端部分のみを第１の孔径よりも小さい第２の孔径でなる小径しごき孔でしごくことができるため、ブラシ先端部分に付着した過剰な塗布液を確実にしごき落とすことができ、ブラシ本体先端に団子状液溜りを形成させない液塗布具を実現できる。
【発明を実施するための最良の形態】
【００１１】
以下、図面について、本発明の一実施の形態を詳述する。
【００１２】
（１）第１の実施の形態
図１〜図７は、第１の実施の形態を示すもので、１は、全体として液塗布具を示し、液塗布具本体２と塗布液容器３とによって構成されている。
【００１３】
液塗布具本体２は、シャフト４がキャップ６に固着されると共に、シャフト４の先端にブラシ本体５が取り付けられている。この液塗布具本体２は塗布液容器３内にブラシ本体５を出し入れさせることにより、ブラシ本体５を塗布液容器３内に溜められたマスカラである塗布液１７に浸して外部に取り出させる。
【００１４】
ブラシ本体５は、０．１〜２．０〔ｍｍφ〕の太さのステンレスでなる線材上に多数のブラシ繊維材料を配列し、この線材を折り曲げて当該ブラシ繊維材料を挟み込んだ状態において当該線材にねじり加工を施すことにより、ねじり加工された当該線材でなる芯材５Ｂを中心として、直線的に外方にブラシ毛材を突出するように植毛した構成を有する。
【００１５】
一方、塗布液容器３の上部には、可撓性を有する柔軟性を持ったゴム材でなり、ブラシ本体５を通すしごき孔８Ｃを有するしごき部材８が設けられている。このしごき部材８は、図２に示すように、扁平な円筒状の固定部８Ａと、底のないすり鉢型のしごき部８Ｂとによって構成されており、しごき部材８の固定部８Ａが係合部材９（図１）の下端に形成された凸状の引掛部９Ｂを覆うように引掛けられ、この状態で係合部材９が容器本体７の内部に嵌め込まれることにより取り付けられる。
【００１６】
このしごき部８Ｂは、ブラシ本体５を取出口３Ａから引き抜くときに、シャフト４に付着する塗布液１７をしごき落とすと共に、ブラシ本体５の周囲に付着している塗布液１７（以下、これを付着塗布液１７Ａと呼ぶ）をしごき落とすことにより、当該付着塗布液１７Ａが適度な量になるように調整する。
【００１７】
一方、固定部８Ａ（図２（Ａ））は、当該固定部８Ａの容器本体７に平行な部分の厚みＴｖが容器本体７の内側と引掛部９Ｂの外側との間隙より厚く形成されているため、容器本体７と係合部材９とを強固に固定すると共に、係合部材９と容器本体７との間を密封するいわゆるパッキングの役割を兼ねさせて容器本体７に貯蔵される塗布液１７を漏らさないようにできる。
【００１８】
さらに、この塗布液容器３には、塗布液容器３から出し入れされるブラシ本体５に対してばね１０の伸縮によって追従する円盤状のブラシ受皿１１が設けられている。
【００１９】
すなわち、図１（Ａ）に示すように、ブラシ本体５が塗布液容器３内に挿入されるとき、ばね１０が縮小することにより、ブラシ受皿１１が塗布液容器３の底部に押し下げられる。一方、図１（Ｂ）に示すように、ブラシ本体５が塗布液容器３から引き抜かれるとき、ばね１０が伸張して付勢することにより、ブラシ受皿１１がブラシ本体５の先端であるブラシ先頂部５Ａに追従して上部に押し上げられる。
【００２０】
このブラシ受皿１１は、上述した係合部材９及びしごき部材８が取り付けられる前に、当該容器本体７に設置されるようになされている。
【００２１】
図３に示すように、このブラシ受皿１１は、ブラシ本体５に対応する中心部分の凹部１１Ａと、当該凹部１１Ａの周囲を囲む鍔状のフランジ部１１Ｂと、フランジ部１１Ｂから放射状に突出する４つの突起部１１Ｃと、当該突起部１１Ｃ間の間隙１１Ｄとから構成される。
【００２２】
凹部１１Ａは、その底部にブラシ先頂部５Ａを当接させると共に、塗布液１７を保持するようになされている。突起部１１Ｃの先端は、容器本体７の内径より僅かに小さく形成され、当該凹部１１Ａを常に容器本体７の中央付近に位置させる。間隙１１Ｄは、ブラシ受皿１１が塗布液１７内を上下に移動する際、塗布液１７の中に負圧を生じさせることなく、ブラシ受皿１１を容易に移動させる。
【００２３】
以上の構成において、図４（Ａ）ないし（Ｃ）に示すように、液塗布具本体２が塗布液容器３から引き抜かれる際、液塗布具１は、しごき部８Ｂによってシャフト４に付着する塗布液１７やブラシ本体５に付着する過剰な付着塗布液１７Ａをしごき落とすと共に、ブラシ本体５を伝わせてこのしごき落とされた塗布液１７（以下、これを伝落塗布液１７Ｂと呼ぶ）をブラシ先頂部５Ａへ伝え落とす。このとき、液塗布具１は、この伝落塗布液１７Ｂに対する重力に加え、ブラシ先頂部５Ａに接触した状態にある凹部１１Ａ内に保持された塗布液１７（以下、これを受皿内塗布液１７Ｃと呼ぶ）の表面張力ＰＳによって伝落塗布液１７Ｂを当該凹部１１Ａ内に確実に落とすことができる。
【００２４】
図４（Ｄ）に示すように、さらにブラシ本体５が上方へ移動すると、液塗布具１では、ブラシ受皿１１がしごき部材８に当接してブラシ本体５がブラシ受皿１１から離れる。このとき、受皿内塗布液１７Ｃがその表面張力ＰＳにより先頂にある伝落塗布液１７Ｂを引っ張り、ブラシ先頂部５Ａに残留する液を減少させることができるため、ブラシ先頂部５Ａに団子状の液溜り（以下、これを団子状液溜りと呼ぶ）を形成させず、この液溜りが突然落ちる、いわゆるぼた落ちを防止できる。
【００２５】
さらに液塗布具１は、ブラシ本体５が塗布液容器３（図１）から引き抜かれた後、孔や溝を有さない凹部１１Ａによって当該しごき部材８のしごき孔８Ｃを塞いで塗布液容器３を密封することにより、ブラシ本体５が引き抜かれた状態で塗布液容器３が転倒した場合などに、塗布液１７の流出を防止できる。
【００２６】
以上の構成によれば、液塗布具１は、塗布液容器３内にあるブラシ本体５のブラシ先頂部５Ａに対し、ブラシ受皿１１を当接させた状態で追従させ、ブラシ先頂部５Ａの伝落塗布液７Ｂを当該ブラシ受皿１１に伝わせて落とすことにより、ブラシ先頂部５Ａに団子状液溜りを形成させないため、使用者にこの団子状液溜りをティッシュなどで拭き取らせる必要がない。
【００２７】
なお、上述した第１の実施の形態においては、ブラシ受皿１１が凹部１１Ａと、フランジ部１１Ｂと、突起部１１Ｃと、間隙１１Ｄとから構成されるようにした場合について述べたが、本発明はこれに限らず、このブラシ受皿１１の構成は、ブラシ本体５の大きさや塗布液１７の粘度などに応じて適宜選択される。
【００２８】
例えば図５に示すように、４つの突起部１１Ｃの周囲を囲む外枠１１Ｅを形成し、この外枠１１Ｅの外径が容器本体７より僅かに小さくなるように形成しても良い。
【００２９】
図６に示すように、突起部１１Ｃを２つだけ形成したり、凹部１１Ａを半球状に形成しても良く、さらにブラシ受皿１１が傾くのを確実に防止するために外枠１１Ｅを容器本体７の内壁に平行になるように形成しても良い。
【００３０】
図７に示すように、凹部１１Ａを小さく形成し、ブラシ先頂部５Ａのみが凹部１１Ａに収納されるようにしても良く、さらにフランジ部１１Ｂを小さく、かつ突起部１１Ｃを大きく形成することにより、間隙１１Ｄを大きくしても良い。
【００３１】
さらに図示しないが、この凹部１１Ａに孔を設けることにより、受皿内塗布液１７Ｃを溜めないようにしても良く、ブラシ先頂部５Ａから当接する凹部１１Ａに直接伝わせて伝落塗布液１７Ｂを伝え落とすようにしても良い。
【００３２】
さらに上述した第１の実施の形態においては、ばね１０はスプリングコイルでなるようにした場合について述べたが、本発明はこれに限らず、種々の構成でなるばね材を使用することができる。
【００３３】
さらに上述した第１の実施の形態においては、ブラシ本体５はねじり加工されることにより形成されるようにした場合について述べたが、本発明はこれに限らず、ブラシ芯材に対し、放射線状に配列されたブラシ繊維材料を積層して植毛する、いわゆる円放射ブラシを使用しても良い。
【００３４】
（２）第２の実施の形態
図８は、第２の実施の形態を示すもので、図１〜図７に示す第１の実施の形態との対応部分に同一符号を附して示すように、液塗布具１は、瞼に塗布されるアイライナーを示している。
【００３５】
ブラシ本体２５は、ブラシ毛材が引き抜き方向に平行に植毛された極細のアイライナー用筆状ブラシである。このブラシ本体２５は、アイライナーでなる塗布液２７に浸した当該ブラシ本体２５を引き抜くことによって、ブラシ本体２５に適量の塗布液２７を保持させることができるように構成されている。
【００３６】
また、シャフト４のシャフト径Ｄｙは、シャフト４がブラシ受皿２１のフランジ部２１Ｂに当接するように、ブラシ本体２５の最大径Ｄｘ、及びブラシ受皿２１の凹部２１Ａの内径Ｄｈより大きく形成されている。一方、ブラシ受皿２１は、ブラシ本体２５が凹部２１Ａの底部に接触することなく、当該ブラシ本体２５全体を凹部２１Ａ内に収納するように、凹部２１Ａの内径Ｄｈがブラシ本体２５の最大径Ｄｘよりも大きく形成されると共に、凹部２１Ａの深さＨｈがブラシ本体２５の長さＨｂより大きく形成されている。
【００３７】
以上の構成において、液塗布具１は、ブラシ本体２５が塗布液容器３に挿入される際（ａ１）、ブラシ本体２５の先端が凹部２１の底部に接触する前に、シャフト４の先端がブラシ受皿２１のフランジ部２１Ｂに当接し、ブラシ受皿２１がばね１０に抗して塗布液容器３の底部に押し下げられる。このとき、液塗布具１は、ブラシ本体２５をブラシ受皿２１に接触させないため、ブラシ本体２５の形状を崩さない。
【００３８】
液塗布具１は、ブラシ本体２５が塗布液容器３から引き抜かれる際（ａ２、ａ３）、しごき部８Ｂによってシャフト４に付着する塗布液２７をしごき落とすと共に、ブラシ受皿２１がばね１０に付勢されてブラシ本体２５に追従し、凹部２１Ａに溜った受皿内塗布液２７Ｃの表面張力ＰＳによって伝落塗布液２７Ｂをブラシ受皿２１内に確実に落とすことができる。
【００３９】
以上の構成によれば、液塗布具１は、ブラシ先頂部２５Ａが受皿内塗布液２７に浸かった状態でブラシ受皿１１をブラシ本体２５に追従させ、シャフト４に付着した塗布液２７を受皿内塗布液２７に伝え落とすようにしたため、ブラシ先頂部２５に団子状液溜りを形成させず、使用者にブラシ本体２５を使用させて瞼に細いアイラインを描かせることができる。
【００４０】
（３）第３の実施の形態
図９〜図１３は、第３の実施の形態を示すもので、図１〜図７に示す第１の実施の形態との対応部分に同一符号を附して示すように、液塗布具１は、第１の実施の形態と同様にマスカラでなる塗布液１７を使用するマスカラブラシである。
【００４１】
図１０に示すように、液塗布具１におけるブラシ本体３３は、まつ毛にマスカラを濃く塗布するため、しごき後にブラシ本体３３に付着する付着塗布液１７Ａを多量に残すことが望ましい多量塗布ブラシ部３３Ｃと、目元や目尻のまつ毛、及び下まつ毛など、まつ毛のうち細く短い微細部に対して使用されるため、しごき後に付着塗布液１７Ａを少量だけ残すことが望ましい少量塗布ブラシ部３３Ｄとを有しており、この多量塗布ブラシ部３３Ｃと少量塗布ブラシ部３３Ｄとの間には、ブラシ挿入制限部３３Ｅが設けられている。
【００４２】
このブラシ挿入制限部３３Ｅは、その外径が隣接する多量塗布ブラシ部３３Ｃの外径より小さくかつ後述する小径しごき孔３２Ｃより大きく形成され、複数の凸部が放射状に設けられたリング形状を有している。ブラシ挿入制限部３３Ｅは、その形状が容易に変形されないように硬質又は半硬質の各種樹脂材料によって形成され、熱溶着などによって後付けでブラシ本体３３に取り付けられる。
【００４３】
一方、ブラシ受皿３２は、凹部３２Ａと鍔状のフランジ部３２Ｂとによって構成され、当該凹部３２Ａの中心部にしごき孔８Ｃの第１孔径Ｄｐ１より小さい第２孔径Ｄｐ２を有する小径しごき孔３２Ｃが設けられている。本実施の形態においてブラシ受皿３２は、しごき部材として作用し、ブラシ本体３３の先端部である少量塗布ブラシ部３３Ｄの過剰な付着塗布液１７Ａをしごき落とす。
【００４４】
以上の構成において、液塗布具１では、図９（Ａ）に示すように、液塗布具本体２が塗布液容器３内に挿入される際、ブラシ本体３３がしごき孔８Ｃに挿入された後、ブラシ本体３３の少量塗布ブラシ部３３Ｄがブラシ受皿３２の小径しごき孔３２Ｃに挿入される。このとき、小径しごき孔３２Ｃより大きい外径を有するブラシ挿入制限部３３Ｅがブラシ受皿３２の凹部３２Ａに当接し、少量塗布ブラシ部３３Ｄのみが小径しごき孔３２Ｃに挿入された状態で、ブラシ受皿３２がブラシ本体３３と共に、ばね１０に抗して塗布液容器３の底部まで押し下げられる。
【００４５】
液塗布具１は、図９（Ｂ）及び（Ｃ）に示すように、液塗布具本体２が塗布液容器３から引き抜かれる際、多量塗布ブラシ部３３Ｃがしごき部８Ｂによってしごかれると共に、ブラシ受皿３２がばね１０の付勢力で少量塗布ブラシ部３３Ｄに追従して塗布液容器３の上部まで押し上げられる。このブラシ受皿３２がしごき部８Ｂに当接するとさらに上方へは移動できず、ブラシ本体３３のみが塗布液容器３から引き抜かれ、このとき少量塗布ブラシ部３３Ｄが小径しごき孔３２Ｃを有する凹部３２Ａによってしごかれる。
【００４６】
すなわち、図１１に示すように、液塗布具１はしごき部８Ｂによってシャフト４をしごき、続いて図１２（Ａ）に示すように、第１孔径Ｄｐ１を有するしごき孔８Ｃに挿入された多量塗布ブラシ部３３Ｃをしごいた後、図１２（Ｂ）に示すように、第１孔径Ｄｐ１より小さい第２孔径Ｄｐ２でなる小径しごき孔３２Ｃに挿入された少量塗布ブラシ部３３Ｄを凹部３２Ａによってしごくことができ、少量塗布ブラシ部３３Ｄを多量塗布ブラシ部３３Ｃより強くしごくことができる。  
【００４７】
以上の構成によれば、液塗布具１は、第１孔径Ｄｐ１より小さい第２孔径Ｄｐ２でなる小径しごき孔３２Ｃから引き抜くことによって少量塗布ブラシ部３３Ｄを多量塗布ブラシ部３３Ｃより強くしごいて、多量塗布ブラシ部３３Ｃに多量の塗布液１７を残しつつ、少量塗布ブラシ部３３Ｄに塗布液１７を少量のみ残すことができる。
【００４８】
かくして、液塗布具１は、使用者に多量塗布ブラシ部３３Ｃを使用させて一度の塗布操作によってまつ毛に塗布液１７であるマスカラを濃く塗布させることができる。さらに液塗布具１は、使用者の多量塗布ブラシ部３３Ｃによる塗布動作後に少量塗布ブラシ部３３Ｄを使用させて、濃すぎるマスカラを落としたり、マスカラに含まれる繊維の方向をまつ毛に沿わせたり、まつ毛をカールさせるなどの修正動作をさせることができると共に、マスカラを皮膚に付着させることなく目元、目尻、下まつ毛などの微細部にマスカラを容易に塗布させることができる。
【００４９】
なお、上述した第３の実施の形態においては、リング形状のブラシ挿入制限部３３Ｅが後付けで取り付けられるようにした場合について述べたが、本発明はこれに限らず、太くて硬い樹脂製の線材や金属製の線材がブラシ本体３３の製造と同時にブラシ毛材と共に植毛されることにより形成されても良い。
【００５０】
さらに上述した第３の実施の形態においては、ばね１０の付勢力によってブラシ受皿１１がブラシ本体３３に追従するようにした場合について述べたが、本発明はこれに限らず、ブラシ受皿３２に引っ掛かった少量塗布ブラシ部３３Ｄのブラシ毛材が当該ブラシ受皿３２を持ち上げることにより、ブラシ受皿３２が少量塗布ブラシ部３３Ｄに追従するようにしても良い。
【００５１】
また、上述した第３の実施の形態においては、ブラシ挿入制限部３３Ｅをブラシ本体３３に設けるようにした場合について述べたが、本発明はこれに限らず、例えば図１３に示すように、ブラシ挿入制限部４０及び４１をブラシ受皿３２に設けるようにしても良い。これにより、ブラシ本体３３にブラシ挿入制限部を設ける必要がなく、第１の実施の形態と同様のブラシ本体５を使用することができる。
【産業上の利用可能性】
【００５２】
本発明は、塗布対象毛に塗布液を塗布する場合に利用できるものである。
【図面の簡単な説明】
【００５３】
【図１】（Ａ）及び（Ｂ）は、第１の実施の形態による液塗布具の構成を示す断面図である。
【図２】（Ａ）及び（Ｂ）は、第１の実施の形態によるしごき部材の構成を示す断面図及び斜視図である。
【図３】（Ａ）及び（Ｂ）は、第１の実施の形態によるブラシ受皿の構成を示す断面図及び上面図である。
【図４】（Ａ）、（Ｂ）、（Ｃ）及び（Ｄ）は、しごき動作の説明に供する液塗布具の部分的な断面図である。
【図５】（Ａ）及び（Ｂ）は、第１の実施の形態によるブラシ受皿の変形例（１）を示す略線図である。
【図６】（Ａ）及び（Ｂ）は、第１の実施の形態によるブラシ受皿の変形例（２）を示す略線図である。
【図７】（Ａ）及び（Ｂ）は、第１の実施の形態によるブラシ受皿の変形例（３）を示す略線図である。
【図８】（Ａ）、（Ｂ）及び（Ｃ）は、第２の実施の形態によるしごきの説明に供する略線図である。
【図９】（Ａ）、（Ｂ）及び（Ｃ）第３の実施の形態による液塗布具の構成を示す断面図である。
【図１０】第３の実施の形態によるブラシ本体としごき孔径との関係を示す略線図である。
【図１１】（Ａ）及び（Ｂ）は、第３の実施の形態によるシャフトのしごき動作の説明に供する略線図である。
【図１２】（Ａ）及び（Ｂ）は、第３の実施の形態によるブラシ本体のしごきの説明に供する略線図である。
【図１３】（Ａ）及び（Ｂ）は、第３の実施の形態によるブラシ受皿の変形例を示す斜視図である。
【図１４】従来の構成を示す斜視図である。
【図１５】従来のしごきの説明に供する略線図である。
【符号の説明】
【００５４】
１、２１、３１、Ｒ１……液塗布具、２……液塗布具本体、３……塗布液容器、３Ａ……取出口、４……シャフト、５、２５、３３……ブラシ本体、５Ａ、２５Ａ、３３Ａ……ブラシ先頂部、５Ｂ、３３Ｂ……芯材、３３Ｃ……多量塗布ブラシ部、３３Ｄ……少量塗布ブラシ部、６……キャップ、６Ａ……雌ねじ、７……容器本体、８……しごき部材、８Ｂ……しごき部、８Ｂａ……しごき孔、９……係合部材、９Ａ……雄ねじ、９Ｂ……引掛部、１０……ばね、１１……ブラシ受皿、１１Ａ……フランジ部、１１Ｂ……凹部、１１Ｃ……突起部、１１Ｄ……間隙、１１Ｅ……外枠、１７、２７……塗布液。
【図１】
2007307310.tif 000003
【図２】
2007307310.tif 000004
【図３】
2007307310.tif 000005
【図４】
2007307310.tif 000006
【図５】
2007307310.tif 000007
【図６】
2007307310.tif 000008
【図７】
2007307310.tif 000009
【図８】
2007307310.tif 000010
【図９】
2007307310.tif 000011
【図１０】
2007307310.tif 000012
【図１１】
2007307310.tif 000013
【図１２】
2007307310.tif 000014
【図１３】
2007307310.tif 000015
【図１４】
2007307310.tif 000016
【図１５】
2007307310.tif 000017